(57)【特許請求の範囲】
【請求項１】
商品に添付される付属物品をタックラベルのおもて面側に係着してなる物品係着ラベルを、商品もしくはその包装体の表面に貼着するための物品係着ラベル供給用帯状体の梱包形態であって、物品係着ラベル供給用帯状体は、物品係着ラベルとこれを保持する長尺帯状の離型紙（以下「帯状離型紙」）とからなり、帯状離型紙の長手方向に一定の隙間をおいて物品係着ラベルが裏面の粘着剤層を介して剥離可能に保持され、かつ隣合う物品係着ラベルの間の隙間にそれぞれ、帯状離型紙の帯幅である離型紙帯幅を横切ってＸ字状に交差する複数の折り曲げ線が形成されている折り曲げ可能な帯状体であって、該折り曲げ線で蛇腹折りに折り畳まれて梱包ケース内に納置されると共に、梱包ケース内から連続的に引き出されるように先端部を梱包ケースの引き出し口に臨ませてなる物品係着ラベル供給用帯状体の梱包形態。
【請求項２】
商品に添付される付属物品をタックラベルのおもて面側に係着してなる物品係着ラベルを、商品もしくはその包装体の表面に貼着するための物品係着ラベル供給用帯状体の梱包形態であって、物品係着ラベル供給用帯状体は、物品係着ラベルとこれを保持する長尺帯状の離型紙（以下「帯状離型紙」）とからなり、帯状離型紙の長手方向に一定の隙間をおいて物品係着ラベルが裏面の粘着剤層を介して剥離可能に保持され、かつ隣合う物品係着ラベルの間の隙間にそれぞれ、帯状離型紙の長手方向に対し任意に定めた傾斜角を有する複数の傾斜折り曲げ線が形成されている折り曲げ可能な帯状体であって、該折り曲げ線で蛇腹折りに折り畳まれて梱包ケース内に納置されると共に、梱包ケース内から連続的に引き出されるように先端部を梱包ケースの引き出し口に臨ませてなる物品係着ラベル供給用帯状体の梱包形態。
【請求項３】
物品係着ラベル供給用帯状体の先端部を梱包ケースの引き出し口に臨ませる一方、尾端部は後続する物品係着ラベル供給用帯状体の先端部に連結されるように梱包ケースの外部に臨ませてなる請求項１または請求項２に記載の物品係着ラベル供給用帯状体の梱包形態。
【請求項４】
商品に添付される付属物品をタックラベルのおもて面側に係着してなる物品係着ラベルを商品もしくはその包装体（以下「対象物品」）に貼着するための物品係着ラベルの連続供給方法であって、請求項３に記載の物品係着ラベル供給用帯状体が納置されている梱包ケースを複数個用意し、１の梱包ケース内の物品係着ラベル供給用帯状体をその先端部から引き出しながら、ラベル自動貼着ライン内の対象物品に向って移送すると共に、その尾端部を、次の梱包ケースに納置されている物品係着ラベル供給用帯状体の先端部に連結する操作を適時反復実施することを特徴とする対象物品に対する物品係着ラベルの連続供給方法。
【請求項５】
長尺帯状の形状を有する基材シートに離型処理が施された帯状離型紙と、
商品に添付される付属物品がおもて面側に係着され、裏面側に粘着層を有する物品係着ラベルであって、裏面側の粘着層を用いて帯状離型紙の長手方向に一定の隙間をおいて剥離可能に保持されて配置される複数の物品係着ラベルと、
帯状離型紙において、隣り合う物品係着ラベルの間の隙間であるラベル間隙間にそれぞれ設けられ、帯状離型紙の帯幅である離型紙帯幅を横切ってＸ字状に交差する複数の折り曲げ線と、
を含むことを特徴とする物品係着ラベル供給用帯状体。
【請求項６】
長尺帯状の形状を有する基材シートに離型処理が施された帯状離型紙と、
商品に添付される付属物品がおもて面側に係着され、裏面側に粘着層を有する物品係着ラベルであって、裏面側の粘着層を用いて帯状離型紙の長手方向に一定の隙間をおいて剥離可能に保持されて配置される複数の物品係着ラベルと、
帯状離型紙において、隣り合う物品係着ラベルの間の隙間であるラベル間隙間にそれぞれ設けられ、帯状離型紙の長手方向に対し任意に定めた傾斜角を有する複数の傾斜折り曲げ線と、
を含むことを特徴とする物品係着ラベル供給用帯状体。
【発明の詳細な説明】
【０００１】
【発明の属する技術分野】
本発明は、商品に添付される付属物品、例えば洗剤,化粧品等の試供品、即席食品の調味料等をはじめとする各種商品の付属物品を、タックラベルのおもて面に係着して当該商品又はその包装体表面に貼着する物品係着ラベル供給用帯状体の梱包形態、その連続供給方法及び物品係着ラベル供給用帯状体に関する。
【０００２】
【従来の技術】
従来より洗剤やシャンプー、化粧品、医薬品等の商品には、試供品を台紙や袋に保持して添付することが行なわれている。また、レトルトパウチ食品,電子レンジ食品、その他の即席食品では調味料,スパイス,具等を小型の袋に封入して添付し、コンビニエンスストアー等で販売される弁当等では調味料の小袋等を添付することも普通に行なわれている。このほか、菓子等のおまけ（小型の玩具やカード等）、小袋入り食品（ふりかけ,かつおぶし等）等、付属物品を本体商品に添付する例は広範・多岐にわたる。
【０００３】
【発明が解決しようとする課題】
これらの付属物品を商品に添付する従来の方法は、セロハンテープ等の粘着テープを用いて商品又はその包装容器の表面に取付けるか、あるいは包装容器に本体商品と付属物品とをバラの状態で収納するという形態が一般であり、その添付作業は手作業で行なわれることが多い。しかし添付作業は極めて煩瑣である。付属物品は多数個がバラバラの状態で供給されるので、これを手作業で商品の１つひとつに添付するのは著しく非能率であり、コストアップの大きな要因にもなっている。また手作業では、作業ミス（添付もれ）により、付属物品が欠落した商品が発生することもある。
【０００４】
本発明者等は上記問題を解消すべく種々検討を重ねた結果、付属物品をタックラベル（裏面に粘着剤層を有する）のおもて面に係着した「物品係着ラベル」を、長尺帯状の離型紙の長手方向に一定間隔で多数保持せしめた「物品係着ラベル供給用帯状体」を形成し、対象商品の近傍で「物品係着ラベル」を離型紙から１つずつ剥離しながら、ラベル裏面の粘着剤層で対象商品に貼着するという構成により、付属物品の添付作業を完全自動化し、従来の手作業に付随する前記問題をすべて解消することができるとの知見を得た。
本発明は、上記「物品係着ラベル」の対象商品に対する連続供給および添付作業をより効果的に遂行するための梱包形態及び供給方法を提供するものである。
【０００５】
【課題を解決するための手段】
本発明に係る物品係着ラベル供給用帯状体の梱包形態は、商品に添付される付属物品をタックラベルのおもて面側に係着してなる物品係着ラベルを、商品もしくはその包装体の表面に貼着するための物品係着ラベル供給用帯状体の梱包形態であって、物品係着ラベル供給用帯状体は、物品係着ラベルとこれを保持する長尺帯状の離型紙（以下「帯状離型紙」）とからなり、帯状離型紙の長手方向に一定の隙間をおいて物品係着ラベルが裏面の粘着剤を介して剥離可能に保持され、かつ隣合う物品係着ラベルの間の隙間にそれぞれ、帯状離型紙の帯幅である離型紙帯幅を横切ってＸ字状に交差する複数の折り曲げ線が形成されている折り曲げ可能な帯状体であって、該折り曲げ線で蛇腹折りに折り畳まれて梱包ケース内に納置されると共に、梱包ケース内から連続的に引き出されるように先端部を梱包ケースの引き出し口に臨ませた構成を有している。
また、本発明に係る物品係着ラベル供給用帯状体の梱包形態は、商品に添付される付属物品をタックラベルのおもて面側に係着してなる物品係着ラベルを、商品もしくはその包装体の表面に貼着するための物品係着ラベル供給用帯状体の梱包形態であって、物品係着ラベル供給用帯状体は、物品係着ラベルとこれを保持する長尺帯状の離型紙（以下「帯状離型紙」）とからなり、帯状離型紙の長手方向に一定の隙間をおいて物品係着ラベルが裏面の粘着剤層を介して剥離可能に保持され、かつ隣合う物品係着ラベルの間の隙間にそれぞれ、帯状離型紙の長手方向に対し任意に定めた傾斜角を有する複数の傾斜折り曲げ線が形成されている折り曲げ可能な帯状体であって、該折り曲げ線で蛇腹折りに折り畳まれて梱包ケース内に納置されると共に、梱包ケース内から連続的に引き出されるように先端部を梱包ケースの引き出し口に臨ませた構成を有している。
【０００６】
物品係着ラベル供給用帯状体は、所望により、梱包ケース内から連続的に引き出されるように先端部を梱包ケースの引き出し口に臨ませると共に、その尾端部を、後続する物品係着ラベル供給用帯状体の先端部に連結されるように梱包ケースの外部に臨ませた形態が与えられる。
【０００７】
本発明に係る対象物品に対する物品係着ラベルの連続供給方法は、上記物品係着ラベルを、商品もしくはその包装体（以下「対象物品」）に貼着するための連続供給方法に係り、前記物品係着ラベル供給用帯状体が納置された梱包ケースを複数個用意し、１の梱包ケース内の物品係着ラベル供給用帯状体をその先端部から引き出しながら、ラベル自動貼着ライン内の対象物品に向って移送すると共に、その尾端部を、次の梱包ケースに納置されている物品係着ラベル供給用帯状体の先端部に連結する操作を適時反復実施することからなる構成を有している。
また、本発明に係る物品係着ラベル供給用帯状体は、長尺帯状の形状を有する基材シートに離型処理が施された帯状離型紙と、商品に添付される付属物品がおもて面側に係着され、裏面側に粘着層を有する物品係着ラベルであって、裏面側の粘着層を用いて帯状離型紙の長手方向に一定の隙間をおいて剥離可能に保持されて配置される複数の物品係着ラベルと、帯状離型紙において、隣り合う物品係着ラベルの間の隙間であるラベル間隙間にそれぞれ設けられ、帯状離型紙の帯幅である離型紙帯幅を横切ってＸ字状に交差する複数の折り曲げ線と、を含むことを特徴とする。
また、本発明に係る物品係着ラベル供給用帯状体は、長尺帯状の形状を有する基材シートに離型処理が施された帯状離型紙と、商品に添付される付属物品がおもて面側に係着され、裏面側に粘着層を有する物品係着ラベルであって、裏面側の粘着層を用いて帯状離型紙の長手方向に一定の隙間をおいて剥離可能に保持されて配置される複数の物品係着ラベルと、帯状離型紙において、隣り合う物品係着ラベルの間の隙間であるラベル間隙間にそれぞれ設けられ、帯状離型紙の長手方向に対し任意に定めた傾斜角を有する複数の傾斜折り曲げ線と、を含むことを特徴とする。
【０００８】
本発明は、付属物品をタックラベル形式で対象物品に添付（貼着）することとしているので、手作業では扱いずらい形状・サイズの物品であっても、その形態に何ら影響されず、物品係着ラベルを離型紙から剥離し、対象物品の表面に押付けるだけの簡易な操作で添付することができる。
物品係着ラベルは、帯状離型紙に剥離可能に保持され、位置ずれを起こすことなく一定のピッチで連続的に供給されるので、一般的なタックラベラーを使用して、多数の対象物品に対する添付操作を自動的に反復することができ、添付ミス（付属物品の添付もれ）のない確実な添付作業を確保することができる。
【０００９】
更に本発明は、帯状体をロール巻取りとする従来の通念と異なって、その帯状体（物品係着ラベル供給用帯状体１）を蛇腹折りに折り畳む集積形態を採用しているので、多数の対象物品に対する物品係着ラベル（１０）の供給操作をより効率的に遂行することができる。物品係着ラベル供給用帯状体(１)は、通常の帯状体に比べ厚肉で嵩張りが大きいので、ロール巻きにした場合、ロール１本当たりの巻き取り長さは著しく短く、このため物品係着ラベル（１０）のラベリング（対象物品への添付）作業ではロールの頻繁な取替えが必要となり、処理効率が大幅に損なわれる。本発明の蛇腹折りの折り畳み集積では、そのような制約や不具合はなく、物品係着ラベル供給用帯状体（１）を順次連結してエンドレスに連続供給することができる。
【００１０】
またロール巻取り形態の場合、巻き重ね面に巻き締め力が作用するのに対し、折り畳み集積の形態では、そのような押圧力の負荷がなく、従って付属物品（１２）の被包装物が押圧力によるダメージ（砕片化,折損等）を受け易い物品であっても、そのような不具合をきたすことなく、所定の形態を保持したまま対象物品に添付することができる。
【００１１】
【発明の実施の形態】
以下、本発明の実施の形態について図面を参照して具体的に説明する。
図１は本発明の物品係着ラベル供給用帯状体（１）（以下「供給用帯状体」と称することもある）の例を示し、図２はその長手方向の断面を示している。
図１に示すように、供給用帯状体（１）は、物品係着ラベル（１０）とこれを保持する長尺帯状の離型紙（２０）とからなる。物品係着ラベル（１０）は、帯状離型紙（２０）の長手方向に一定の隙間をおいて保持（剥離可能に粘着）されていると共に、隣り合う物品係着ラベル（１０）と（１０）の隙間に、折り曲げ線（２１）が離型紙（２０）の帯幅を横切る向きに形成されている。
【００１２】
物品係着ラベル（１０）は、図２に示すように、タックラベル（１１）とこれに係着された付属物品（１２）とからなる。この例における付属物品(１２)は、小袋(１２２)に被包装物(１２１)を封入した袋状の包装体であり、接着剤（ホットメルト接着剤,感圧性接着剤等）(１３)によりタックラベル（１１）のおもて面に係着（接着）させている。タックラベル（１１）は、紙,合成紙,プラスチックシート等の単層又は複層材からなるラベル基材（１１１）の裏面に、通常の粘着ラベルに使用される粘着剤（アクリル系,ゴム系,ウレタン系等）（１１２）が塗設された粘着ラベルであり、裏面の粘着剤（１１２）により離型紙（２０）の表面に保持（貼着）される。離型紙（２０）は、紙,プラスチックシート等の基材シートの表面にシリコーンやワックス等の離型処理を施された長尺帯状体である。
【００１３】
供給用帯状体（１）の折り曲げ線（２１）は、例えば、スリットや微小孔等を適当なピッチで設けた所謂ミシン目線等として形成することができる。ミシン目線のほか、押し罫線（折曲部形成刃を押付けて刻印される連続又は断続的な線状の凹溝）であってもよい。折り曲げ線（１２）は、帯幅の全長に亘って形成してもよいが、図示のように離型紙（２０）の両端部（20E）（20E）を、折り曲げ線のない余白として残しておくのが望ましい。実機使用（供給用帯状体１の移送過程）において、離型紙（２０）には長手方向の張力が負荷するので、上記余白部（20E）（20E）は、離型紙（２０）の強度を保持し、折り曲げ線（２１）を起点とする破断の防止に有効である。
【００１４】
前記図１における折り曲げ線（２１）は、離型紙（２０）の長手方向に直交する向きの１本の線として形成されているが、折り曲げ線（１２）の形態はこれに限定されない。図３及び図４は、折り曲げ線の他の例を示している。図３の折り曲げ線は、略Ｘ字状に交叉する２本の折り曲げ線（２１Ａ）（２１Ｂ）を１組として形成されている。この場合、後述するように、供給用帯状体（１）を梱包ケースに収納（折り畳み集積）する際の「斜め折り」が容易になる。図４の折り曲げ線は、多数の傾斜スリット（２１Ｃ）で形成されている。傾斜スリット（２１Ｃ）はやや広幅（W２１）の面域に形成されているので、その幅の範囲内で「斜め折り」することが容易になる。
【００１５】
図５は、供給用帯状体（１）の蛇腹折りを示している。折り曲げ線（２１）は、隣り合う物品係着ラベル(１０)(１０)の隙間に設けられているので、図６のように物品係着ラベル（１０）に屈曲の力が作用することはなく、従って付属物品（１２）の被包装物に、折り曲げによる不具合（例えば砕け易い易い物品の砕片化・粉状化、あるいは写真やカードである場合の折れ曲り・折りぐせ等）を生じることはない。なお、図６のような折り曲げ状態を呈すると、物品係着ラベル(１０)の剥離（帯状離型紙からの浮上がりや脱落）を生じるおそれがあるが、折り曲げ線（２１）の形成によりそのような不具合も回避される。
【００１６】
図７は、供給用帯状体（１）を、蛇腹折りに折り畳みながら、箱型の梱包ケース（３０）（例えばダンボール箱）に梱包する様子を示している。供給用帯状体（１）の尾端部（１Ｔ）は、梱包作業の開始に際して、梱包ケース（３０）の上部開口に臨ませておく。この梱包工程において、供給用帯状体（１）は、梱包ケースの前壁面（３１Ｈ）部及び後壁面（３１Ｔ）部において若干の傾斜角をもって折り曲げられる。この斜め折りにより、供給用帯状体（１）は、折り畳み方向を少しずつ変えながら、一方の壁面（３１Ａ）から他方の壁面（３１Ｂ）に向って（矢符Ｂ方向にシフトしながら）集積される。他方の壁面（３１Ｂ）に到ると、傾斜角を反転した斜め折りとすることにより、その壁面（３１Ｂ）から壁面（３１Ａ）に向って（矢符Ａ方向に）少しずつ折り畳み方向を変えながら集積されていく。
【００１７】
折り曲げ線（２１）として、前記図３のように略Ｘ字状に交叉する２本の折り曲げ線（２１Ａ）（２１Ｂ）が形設されている場合は、折り畳み集積の過程において２本の折り曲げ線（２１Ａ）と（２１Ｂ）とを使い分け、例えば一方の壁面（３１Ａ）から他方の壁面（３１Ｂ）に向って（矢符Ｂ方向に）折り曲げ集積する過程では、折り曲げ線（２１Ｂ）による斜め折りとし、その反対に壁面（３１Ｂ）から壁面（３１Ａ）に向かう折り曲げ集積（矢符Ａ方向）の過程では、折り曲げ線（２１Ａ）による斜め折りとすれば、折り畳み方向の調整を容易に行なうことができる。図４のように傾斜スリットを広幅に形成した折り曲げ線（２１Ｃ）の場合にも、その線幅（W２１）の幅内で、所望の方向に傾斜した斜め折りを容易に行なうことができる。
【００１８】
図８は、上記した折り畳み集積により供給用帯状体（１）の梱包を完成した状態を示している。供給用帯状体（１）の先端部（１Ｈ）は、梱包ケース（３０）の引き出し口（この例では梱包ケースの上部開口）に臨み、尾端部（１Ｔ）は梱包ケース（３０）の外部（この例では梱包ケースの上部開口）に臨んでいる。供給用帯状体（１）は、この梱包状態で保管されると共に、実機使用（対象物品に対する添付作業）に供される。なお、供給用帯状体（１）の先端部（１Ｈ）及び尾端部（１Ｔ）の位置（図７,図８におけるＡ/Ｂ方向の位置）は、折り畳み集積操作の開始・終了位置の選定により任意に変更することができ、例えば先端部（１Ｈ）及び尾端部（１Ｔ）共に、梱包ケース（３０）の中央（Ａ/Ｂ方向の中間位置）とする等、その位置選定は自由である。
【００１９】
対象物品に対する、物品係着ラベル（１０）の供給及び添付作業は、梱包ケース（３０）に集積された供給用帯状体（１）を、その先端部（１Ｈ）から連続的に引き出すことにより行なわれる。図９は、梱包ケース（３０）に集積された供給用帯状体（１）を、タックラベラー（４０）内の多数の対象物品（Ａ）に向って搬送し、対象物品（Ａ）（Ａ）…のそれぞれに物品係着ラベル（１０）を添付（貼着）するラベリング工程の例を示している。
【００２０】
梱包ケース（３０）から送り出される供給用帯状体（１）は、送り込みローラ（４１）を介してタックラベラー（４０）に導入され、ディスペンサー（４２）の先端に達すると、離型紙（２０）が鋭角に折り曲げられる。この離型紙（２０）の鋭角折り曲げに伴って物品係着ラベル（１０）は離型紙（２０）の表面から剥離しながら、その前側部がディスペンサー（４２）の先端より前方に突出する。突出した物品係着ラベル（１０）は、コンベア（４５）で搬送されてきた対象物品（Ａ）の表面に、押さえローラー（４３）（スポンジローラー等）で押し付けられて粘着され、ついで押圧ベルト（４４）でラベルの裏面全面を対象物品（Ａ）に粘着され安定な係着状態となる。なお、物品係着ラベル（１０）が剥ぎ取られた後の離型紙（２０）は、残材として送りローラー（４６）で搬出されたうえ、ロール状に巻き取り回収される。
【００２１】
梱包ケース（３０）から供給用帯状体（１）が連続的に送り出されることにより、コンベア（４４）上の各対象物品（Ａ）に対する、物品係着ラベル(１０)の添付作業が自動的に反復実施される。図示のように、供給用帯状体（１）を収納した梱包ケース（３０）を複数用意しておき、１の梱包ケース（３０）に収納されている供給用帯状体（１）の尾端部（１Ｔ）に、次の梱包ケース（３０）に収納された供給用帯状体（１）の前端部（１Ｈ）を連結（接着等）する操作を適時実施することにより、必要な数量の物品係着ラベル(１０)をエンドレスに連続供給し、多数の対象物品（Ａ）への添付作業をより効率よく遂行することができる。
【００２２】
なお本発明において、付属物品としてタックラベル（１１）に係着される前記袋状の包装体（１２）は、ポリエチレンやポリプロピレン等の単層フィルム，あるいはポリエステルやナイロン等のフィルム内面にポリエチレン等の熱融着性樹脂を積層したラミネートフィルム、更にはアルミニウム，その他のガスバリアー性フィルムを積層した多層ラミネートフィルム等を、３方シール又は４シール等の公知の手法により所望の形状・サイズに製袋し、被包装物（１２１）を収納（充填）することにより形成される。その包装形態は任意であるが、扁平形状に成形することは、供給用帯状体（１）の折り畳み集積の嵩張りを少なくし、ハンドリング性を良くするのに有利である。
【００２３】
被包装物（１２１）は、液体，粉末，固体など任意である。具体例として、洗剤（液体，粉末）、シャンプー、リンス、化粧液、ソース、ドレッシング、医薬品（錠剤，顆粒）、調味料・香辛料（液体，粉末，ぺースト，固形）、お菓子（ピーナツ，あられ等）、レシピカード、写真、薄型玩具、ストロー、スプーン等が挙げられる。
【００２４】
付属物品（１２）の形態は、袋状の包装体に限定されず、被包装物（１２１）の種類や使用態様に応じて、例えば小型薄厚サイズの紙ケース等に収納した包装体であってもよい。被包装物を収納する袋（１２２）や紙ケースその他の包装材の表面には、被包装物（１２１）を示す文字等が適宜印刷により表示される。付属物品（１２）を係着されるタックラベル（１１）の基材（１１１）表面にも必要の応じ同様の印刷が施される。また、付属物品（１２）をタックラベル（１１）のおもて面に係着するための接着剤（１３）の塗布位置や塗布幅は、付属物品（１２）からはみ出さない範囲内で、付属物品（１２）の形状・サイズに応じて適宜設定され、線状、点状または面状等の形態で１個所ないし複数個所に塗布すればよい。
【００２５】
【発明の効果】
本発明によれば、商品に添付される付属物品を、その種類や形態・サイズのいかんに関わらず、物品係着ラベルを離型紙から剥離する簡単な操作で、多数の商品に対し確実に添付することができる。また、帯状体をロール状に巻き取る従来の通念と異なって、折り曲げ集積する梱包形態を採用したことにより、ロール状に巻き取る場合の不具合が解消され、付属物品の形態の変化（粉砕，折れ曲がり）を生じることなく、多数の商品に対する付属物品の添付を高速度で連続的に反復実施することができ、添付作業の労力の軽減、コスト削減に大きな効果をもたらすものである。
【図面の簡単な説明】
【図１】本発明の物品係着ラベル供給用帯状体の例を示す要部斜視図。
【図２】本発明の物品係着ラベル供給用帯状体の部分の断面図。
【図３】本発明の物品係着ラベル供給用帯状体に形成される折り曲げ線の他の例を示す平面図。
【図４】本発明の物品係着ラベル供給用帯状体に形成される折り曲げ線の他の例を示す平面図。
【図５】本発明の物品係着ラベル供給用帯状体の蛇腹折りを示す斜視図。
【図６】物品係着ラベル供給用帯状体の蛇腹折りの不具合の例を示す説明図。
【図７】本発明の物品係着ラベル供給用帯状体の折り畳み梱包要領を示す斜視説明図。
【図８】本発明の物品係着ラベル供給用帯状体の梱包形態の例を示す斜視図。
【図９】連続自動添付ライン（タックラベラー）における物品係着ラベルの供給・添付工程の例を示す正面図。
【符号の説明】
１：物品係着ラベル供給用帯状体
１０：物品係着ラベル
１１：タックラベル（粘着ラベル）
１１１：ラベル基材
１１２：粘着剤
１２：付属物品
１２１：被包装物
１２２：袋
１３：接着剤
２０：帯状離型紙
２０Ｅ：余白部（折り曲げ線省略）
２１（21Ａ，21Ｂ，21Ｃ）：折り曲げ線
３０：梱包ケース
４０：タックラベラー
４１：送り込みローラ
４２：ディスペンサー
４３：押さえローラー
４４：押圧ベルト
４５：コンベア
４６:残材送りローラー
Ａ  ：対象物品
【図１】
0004116323.tif 000002
【図２】
0004116323.tif 000003
【図３】
0004116323.tif 000004
【図４】
0004116323.tif 000005
【図５】
0004116323.tif 000006
【図６】
0004116323.tif 000007
【図７】
0004116323.tif 000008
【図８】
0004116323.tif 000009
【図９】
0004116323.tif 000010